(57)【要約】      （修正有）【課題】ポリオキシエチレンアルキルエーテル硫酸塩又はアルキル硫酸塩を含有する洗浄剤組成物において、泡質、保存安定性に優れる洗浄剤組成物を提供する。【解決手段】次の成分（Ａ）、（Ｂ）及び（Ｃ）；（Ａ）ポリオキシエチレンアルキルエーテル硫酸塩又はアルキル硫酸塩、（Ｂ）ミリスチルアルコール、（Ｃ）一般式（２）で表されるアルコキシレート及びグリセリルエーテルからなる群より選ばれる１種以上のノニオン性界面活性剤、        Ｒ2Ｏ−（ＡＯ）n−Ｒ3 （２）2008031468.tif 000017を含有し、成分（Ａ）と成分（Ｂ）との比率が重量比で（Ａ）／（Ｂ）＝９１．５／８．５〜８０／２０であり、成分（Ａ）と成分（Ｃ）との比率が重量比で（Ａ）／（Ｃ）＝９８／２〜８５／１５であり、成分（Ｂ）と成分（Ｃ）との比率が重量比で（Ｂ）／（Ｃ）＝９０／１０〜３０／７０であり、成分（Ｂ）の含有量が１．６〜１４重量％である洗浄剤組成物。【選択図】なし【特許請求の範囲】
【請求項１】
次の成分（Ａ）、（Ｂ）及び（Ｃ）；
（Ａ）一般式（１）
Ｒ1Ｏ（ＣＨ2ＣＨ2Ｏ）nＳＯ3Ｍ      （１）
（式中Ｒ1は炭素数８〜１８の直鎖又は分岐鎖のアルキル基又はアルケニル基を示し、平均付加モル数ｎは０〜５の数を示し、Ｍはアルカリ金属原子、アルカノールアミン又はアンモニウムを示す）で表されるポリオキシエチレンアルキルエーテル硫酸塩又はアルキル硫酸塩、
（Ｂ）ミリスチルアルコール、
（Ｃ）一般式（２）で表されるアルコキシレート（Ｃ−１）及び一般式（３）で表されるグリセリルエーテル（Ｃ−２）からなる群より選ばれる１種以上のノニオン性界面活性剤、
（Ｃ−１）一般式（２）
Ｒ2Ｏ−（ＡＯ）ｎ−Ｒ3 （２）
（式中、Ｒ2は炭素数８〜１０の直鎖又は分岐鎖のアルキル基又はアルケニル基を示し、ＡＯは炭素数２〜４のアルキレンオキシ基を示し、平均付加モル数ｎは０．５以上４．０未満の数を示し、Ｒ3は水素原子又はメチル基を示す。）で表されるアルコキシレート、
（Ｃ−２）一般式（３）
【化１】
2008031468.tif 000016
（式中、Ｒ4は炭素数６〜１４の直鎖又は分岐鎖のアルキル基又はアルケニル基を示す。
）で表されるグリセリルエーテル、
を含有し、成分（Ａ）と成分（Ｂ）との比率が重量比で（Ａ）／（Ｂ）＝９１．５／８．５〜８０／２０であり、成分（Ａ）と成分（Ｃ）との比率が重量比で（Ａ）／（Ｃ）＝９８／２〜８５／１５であり、成分（Ｂ）と成分（Ｃ）との比率が重量比で（Ｂ）／（Ｃ）＝９０／１０〜３０／７０であり、成分（Ｂ）の含有量が１．６〜１４重量％である洗浄剤組成物。
【請求項２】
成分（Ａ）の含有量が５〜７０重量％であり、成分（Ｃ）の含有量が０．０５〜１４重量％である請求項１記載の洗浄剤組成物。
【請求項３】
成分（Ｃ−１）のＡＯがプロピレンオキシである請求項１又は２記載の洗浄剤組成物。
【請求項４】
さらに、（Ｄ）カチオン性ポリマーを含有する請求項１〜３の何れか１項記載の洗浄剤組成物。
【請求項５】
さらに、（Ｅ）ノニオン性界面活性剤を含有する請求項１〜４の何れか１項記載の洗浄剤組成物。
【請求項６】
（Ｅ）ノニオン性界面活性剤が、アルキルグリコシド及びアルキルポリグリコシドから選ばれる1種以上である請求項５記載の洗浄剤組成物。
【請求項７】
成分（Ａ）の含有量が３０〜７０重量％であり、成分（Ｃ）の含有量が２〜１４重量％である請求項１〜６の何れか１項記載の洗浄剤組成物。
【請求項８】
成分（Ａ）の含有量が５〜２５重量％であり、成分（Ｂ）の含有量が１．６〜３重量％であり、成分（Ｃ）の含有量が０．０５〜３重量％である請求項１〜６の何れか１項記載の洗浄剤組成物。
【請求項９】
皮膚又は毛髪用である請求項１〜８の何れか１項記載の洗浄剤組成物。
【発明の詳細な説明】
【技術分野】
【０００１】
本発明はポリオキシエチレンアルキルエーテル硫酸塩又はアルキル硫酸塩を含有する洗浄剤組成物であって、泡質が改善され、且つ安定性に優れる洗浄剤組成物に関する。
【背景技術】
【０００２】
洗浄剤組成物にはその目的に合わせて様々な界面活性剤が使用されているが、泡質が粗く弾力性に欠けるものが多い。広く用いられているポリオキシエチレンアルキルエーテル硫酸塩又はアルキル硫酸塩を含有する洗浄剤組成物は、泡立ちに優れ水質の影響を受けにくい点で優れた洗浄剤組成物ではあるが、粒径が細かくコシのあるクリーミーな洗浄剤組成物である石鹸を基本とする洗浄剤組成物には泡質の点で劣っている。このように、泡質が粗く弾力性に欠けるポリオキシエチレンアルキルエーテル硫酸塩又はアルキル硫酸塩の泡質をクリーミーなものに改善でき、保存安定性に優れた洗浄剤組成物を得ることができれば種々の剤型が設計でき、洗浄剤組成物として、特にクリーミーな、泡質が好まれる皮膚や毛髪等の身体洗浄料として有用である。
【０００３】
特許文献１には、非石鹸系アニオン界面活性剤、両性界面活性剤、ＨＬＢが６〜１８のノニオン性界面活性剤及び高級アルコール等のミセルの成長促進剤を含有する液体洗浄剤が洗浄力に優れ低温安定性が良好であるとの開示がある。特許文献２には、硫酸残基を有するアニオン界面活性剤、炭素数１０〜１４の高級アルコール及びカチオン性ポリマーを含有する毛髪洗浄剤が、洗髪時に良好な泡立ちとすべりの良い泡質を有し、すすぎ時に滑らかな感触を有し、使用感に優れることの開示がある。特許文献３には、アニオン性界面活性剤と特定のノニオン性界面活性剤及び水を含有し、ゲル又は液晶状態を呈する洗浄剤組成物が、高粘度で手や道具にとる時の垂れ落ちにくさが良好でありながら使用時ののびが良く、保存安定性が高く、泡立ちが速くて良好であるとの開示がある。特許文献４には、硫酸塩型界面活性剤、アルキルグリセリルエーテル、シリコーン油、カチオン性ポリマー及びミリスチルアルコールを含有する毛髪洗浄剤が、良好な泡立ちとすべりの良い泡質を与え、すすぎ時には滑らかな感触を有し、仕上がりの髪にツヤやまとまりを与え、低温安定性が良好で、低刺激性であるとの開示がある。
【特許文献１】特開平２００４−９１５２２号公報
【特許文献２】特開２００３−２１２７３３号公報
【特許文献３】特開２００４−１６８９５１号公報
【特許文献４】欧州特許出願公開第１６７６５６６号明細書
【発明の開示】
【発明が解決しようとする課題】
【０００４】
しかしながら、これらいずれの洗浄剤組成物も、泡質の改善と保存安定性の両者を同時に満足できるものではない。ポリオキシエチレンアルキルエーテル硫酸塩又はアルキル硫酸塩を含有する洗浄剤組成物においてクリーミーな泡質を得るために高級アルコールを添加する手法が採られていたが、当該組成物の保存安定性は十分満足できるものではない。また、特許文献４の実施例９のコンディショニングシャンプーはクリーミーな泡が得られないものであった。
【０００５】
本発明はポリオキシエチレンアルキルエーテル硫酸塩又はアルキル硫酸塩を含有する洗浄剤組成物において、泡量に優れ、泡質がクリーミーであり、且つ保存安定性に優れる洗浄剤組成物を提供することを目的とする。
【課題を解決するための手段】
【０００６】
本発明者らは、ポリオキシエチレンアルキルエーテル硫酸塩又はアルキル硫酸塩に、高級アルコールの中のミリスチルアルコール、及び特定構造のノニオン性界面活性剤を組み合せ、さらにこれらを特定比率で配合することにより、泡量に優れ、泡質がクリーミーであり、且つ保存安定性に優れる洗浄剤組成物が得られることを見出した。
【０００７】
すなわち、本発明は、次の成分（Ａ）、（Ｂ）及び（Ｃ）；
（Ａ）一般式（１）
【０００８】
Ｒ1Ｏ（ＣＨ2ＣＨ2Ｏ）nＳＯ3Ｍ      （１）
【０００９】
（式中Ｒ1は炭素数８〜１８の直鎖又は分岐鎖のアルキル基又はアルケニル基を示し、平均付加モル数ｎは０〜５の数を示し、Ｍはアルカリ金属原子、アルカノールアミン又はアンモニウムを示す）で表されるポリオキシエチレンアルキルエーテル硫酸塩又はアルキル硫酸塩、
（Ｂ）ミリスチルアルコール、
（Ｃ）一般式（２）で表されるアルコキシレート（Ｃ−１）及び一般式（３）で表されるグリセリルエーテル（Ｃ−２）からなる群より選ばれる１種以上のノニオン性界面活性剤、
（Ｃ−１）一般式（２）
【００１０】
Ｒ2Ｏ−（ＡＯ）ｎ−Ｒ3 （２）
【００１１】
（式中、Ｒ2は炭素数８〜１０の直鎖又は分岐鎖のアルキル基又はアルケニル基を示し、ＡＯは炭素数２〜４のアルキレンオキシ基を示し、平均付加モル数ｎは０．５以上４．０未満の数を示し、Ｒ3は水素原子又はメチル基を示す。）で表されるアルコキシレート、
（Ｃ−２）一般式（３）
【００１２】
【化１】
2008031468.tif 000002
【００１３】
（式中、Ｒ4は炭素数６〜１４の直鎖又は分岐鎖のアルキル基又はアルケニル基を示す。
）で表されるグリセリルエーテル、
を含有し、成分（Ａ）と成分（Ｂ）との比率が重量比で（Ａ）／（Ｂ）＝９１．５／８．５〜８０／２０であり、成分（Ａ）と成分（Ｃ）との比率が重量比で（Ａ）／（Ｃ）＝９８／２〜８５／１５であり、成分（Ｂ）と成分（Ｃ）との比率が重量比で（Ｂ）／（Ｃ）＝９０／１０〜３０／７０であり、成分（Ｂ）の含有量が１．６〜１４重量％である洗浄剤組成物を提供するものである。
【発明の効果】
【００１４】
本発明のポリオキシエチレンアルキルエーテル硫酸塩又はアルキル硫酸塩を含有する洗浄剤組成物は、泡量に優れ、泡質がクリーミーであり、且つ保存安定性に優れる。従って、本発明の洗浄剤組成物は、皮膚又は毛髪用洗浄剤、さらに皮膚用洗浄剤として有用である。
【発明を実施するための最良の形態】
【００１５】
以下に、本発明をさらに詳しく説明する。
本発明で用いる成分（Ａ）の前記一般式（１）で表されるポリオキシエチレンアルキルエーテル硫酸塩又はアルキル硫酸塩において、Ｒ1は炭素数８〜１８の直鎖又は分岐鎖のアルキル基又はアルケニル基であり、その炭素数は洗浄力、起泡性の点から１０〜１６、さらに１２〜１４が好ましく、アルキル基が好ましい。また、Ｒ1のアルキル基又はアルケニル基は直鎖でも分岐鎖でも良いが直鎖が好ましい。平均付加モル数ｎは０〜５の数を示すが、洗浄力、起泡性の点から１〜３、さらに１〜２が好ましい。Ｍはアルカリ金属原子、アルカノールアミン又はアンモニウムを示す。アルカリ金属原子としてはナトリウム、カリウム等が挙げられ、このうちナトリウムが好ましい。アルカノールアミンとしてはトリエタノールアミンが好ましい。
【００１６】
成分（Ａ）の好ましい具体例としては、ポリオキシエチレン（２）ラウリルエーテル硫酸ナトリウム、ポリオキシエチレン（１）ラウリルエーテル硫酸アンモニウム等が好ましく、さらにポリオキシエチレン（２）ラウリルエーテル硫酸ナトリウムが好ましい。
【００１７】
成分（Ａ）の含有量は、起泡性の点から、本発明洗浄剤組成物中に５〜７０重量％、さらに１０〜７０重量％、よりさらに１２〜６５重量％が好ましい。本発明洗浄剤組成物が洗顔料等のような場合には、成分（Ａ）の含有量は、該洗浄剤組成物中に３０〜７０重量％、さらに３０〜６５重量％、よりさらに３０〜６０重量％が好ましい。また、本発明洗浄剤組成物が液体身体洗浄料等のような場合には、成分（Ａ）の含有量は、該洗浄剤組成物中に５〜２５重量％、さらに５〜２０重量％、よりさらに１０〜２０重量％が好ましい。
【００１８】
本発明で用いる成分（Ｂ）は、ミリスチルアルコールである。本発明者の検討によれば、成分（Ａ）と組み合せたとき、種々の高級アルコールの中でも、特にミリスチルアルコールが、泡粒径が小さく、粘弾性が高く、クリーミーな泡を生成する作用において優れている。すなわち、成分（Ａ）とミリスチルアルコールを組み合せたときの泡の粒径は、ラウリルアルコールやパルミチルアルコールを用いた場合に比べて小さく、その泡質はクリーミーである。また、成分（Ａ）とミリスチルアルコールを組み合せたときに得られる泡の粘弾性は、ラウリルアルコールやパルミチルアルコールを用いた場合に比べて高く、その泡にはコシがある。
【００１９】
ミリスチルアルコール（Ｂ）の含有量は、泡量及びクリーミーな泡質を得る点から、本発明洗浄剤組成物中に１．６〜１４重量％であるが、１．６〜１０重量％が好ましい。本発明組成物が洗顔料等のような場合には、成分（Ｂ）の含有量は、該洗浄剤組成物中に２〜１４重量％、さらに４〜１４重量％、よりさらに４〜１０重量％が好ましい。また、本発明洗浄剤組成物が液体身体洗浄料等のような場合には、成分（Ｂ）の含有量は、該洗浄剤組成物中に１．６〜３重量％、さらに１．６〜２．５重量％が好ましい。
【００２０】
成分（Ｃ）は、前記アルコキシレート（Ｃ−１）及びグリセリルエーテル（Ｃ−２）からなる群より選ばれる１種以上のノニオン性界面活性剤である。ここでアルコキシレート（Ｃ−１）を示す一般式（２）において、Ｒ2は炭素数８〜１０の直鎖又は分岐鎖のアルキル基又はアルケニル基である。低臭化の観点から直鎖アルキル基が好ましい。起泡性の観点からＲ2は炭素数８のものが好ましく、混合アルキルの場合、炭素数８のものが５０％以上、さらに８０％以上、さらに９８％以上であるのが好ましい。
【００２１】
一般式（２）において、ＡＯは炭素数２〜４のアルキレンオキシ基であり、プロピレンオキシ基（以下ＰＯと言う）及び／又はエチレンオキシ基（以下ＥＯと言う）が好ましく、ＰＯとＥＯはブロックでもランダムでも良いが、ブロックが好ましく、低臭化の観点からＰＯ、ＥＯの順にブロック状に配列しているのがより好ましく、さらにＰＯのみのものが好ましい。
【００２２】
一般式（２）の化合物において、平均付加モル数ｎは０．５以上４．０未満の数を示すが、起泡性の観点から１．０〜３．０、さらには２．０〜３．０、よりさらには２．０〜２．５が好ましい。
【００２３】
一般式（２）中のＲ3は、水素原子又はメチル基を示すが、水素原子が好ましい。
【００２４】
グリセリルエーテル（Ｃ−２）を示す一般式（３）中、Ｒ4は、炭素数６〜１４の直鎖又は分岐鎖のアルキル基又はアルケニル基を示すが、例えばｎ−ヘキシル基、イソヘキシル基、ｎ−ヘプチル基、ｎ−オクチル基、２−エチルヘキシル基、ｎ−ノニル基、ｎ−デシル基、イソデシル基、ｎ−ラウリル基等の炭素数４〜１２のアルキル基が好ましく、さらに炭素数６〜１１、よりさらに炭素数６〜１０、就中炭素数８〜１０のアルキル基（さらに２−エチルヘキシル基又はイソデシル基）が好ましい。
【００２５】
成分（Ｃ−２）のうち、泡質の改善又は保存安定性の点から、２−エチルヘキシルグリセリルエーテル又はイソデシルグリセリルエーテルが好ましく、さらに、２−エチルヘキシルグリセリルエーテルが好ましい。
【００２６】
成分（Ｃ）は、洗浄剤組成物の保存安定性、特に保存時に洗浄剤の２層分離を防止する点から、本発明洗浄剤組成物中に０．０５〜１４重量％、さらに０．１〜１２重量％、よりさらに０．５〜１２重量％含有するのが好ましい。本発明洗浄剤組成物が洗顔料等のような場合には、成分（Ｃ）の含有量は、該洗浄剤組成物中に２〜１４重量％、さらに２〜１２重量％、よりさらに４〜１２重量％が好ましい。また本発明洗浄剤組成物が液体身体洗浄料等のような場合には、成分（Ｃ）の含有量は該洗浄剤組成物中に０．０５〜３重量％、さらに０．１〜２．５重量％、よりさらに０．５〜２．５重量％が好ましい。
【００２７】
本発明洗浄剤組成物においては、成分（Ａ）、（Ｂ）及び（Ｃ）の配合比率（重量比率）は、泡質の改善と保存安定性の両立を図る上で極めて重要である。すなわち、成分（Ａ）、（Ｂ）及び（Ｃ）は、泡質の改善効果と保存安定性の確保の点から、（Ａ）／（Ｂ）＝９１．５／８．５〜８０／２０であり、（Ａ）／（Ｃ）＝９８／２〜８５／１５であり、（Ｂ）／（Ｃ）＝９０／１０〜３０／７０である。このうち、（Ａ）／（Ｂ）の好ましい範囲は９１．５／８．５〜８２／１８であり、さらに好ましい範囲は９１．５／８．５〜８５／１５である。（Ａ）／（Ｃ）の好ましい範囲は９８／２〜８８／１２であり、さらに好ましい範囲は９７．５／２．５〜８８／１２である。（Ｂ）／（Ｃ）のより好ましい範囲は９０／１０〜４０／６０であり、さらに好ましい範囲は８５／１５〜４０／６０である。
【００２８】
本発明の洗浄剤組成物は、さらにカチオン性ポリマー（Ｄ）を配合することにより、泡の粘性を向上させ、泡質をさらに向上させることができる。当該カチオン性ポリマーとしては、下記（ａ）〜（ｄ）からなる群より選ばれる１種以上が挙げられる。
【００２９】
（ａ）一般式（Ｉ）又は（ＩＩ）で表されるノニオン性基含有ビニル単量体の少なくとも１種と、一般式（ＩＩＩ）又は（ＩＶ）で表されるカチオン性基含有ビニル単量体の少なくとも１種と、ビニル基、アクリロイル基、メタクリロイル基及びアリル基から選ばれる少なくとも２個の基を分子中に有する架橋性ビニル単量体の少なくとも１種とを必須構成単量体とし、ラジカル重合することにより得られるカチオン性基含有共重合体
【００３０】
【化２】
2008031468.tif 000003
【００３１】
〔式中、Ｒ11は水素原子又はメチル基を示し、Ｒ12及びＲ13は同一又は異なって、水素原子又は炭素数１〜４の直鎖状もしくは分岐状のアルキル基又はアルケニル基を示す。〕
【００３２】
【化３】
2008031468.tif 000004
【００３３】
〔式中、Ｒ11は前記と同じ意味を示し、Ａ1及びＡ2は同一又は異なって、式−（ＣＨ2）ｍ−（ｍは２〜６の整数を示す）で表される基を示し、Ｂは−Ｏ−又は−ＣＨ2−基を示す。〕
【００３４】
【化４】
2008031468.tif 000005
【００３５】
〔式中、Ｒ11は前記と同じ意味を示し、Ｒ14及びＲ15は同一又は異なって、炭素数１〜４のアルキル基又はアルケニル基を示し、Ｒ16は水素原子又は炭素数１〜４のアルキル基を示し、Ｙは−Ｏ−、−ＮＨ−、−ＣＨ2− 又は−Ｏ−ＣＨ2ＣＨ（ＯＨ）−基を示し、Ｚは炭素数１〜４（ただしＹが−ＣＨ2− のときは炭素数０〜３）の直鎖又は分岐鎖のアルキレン基を示し、Ｘは酸の共役塩基、ハロゲン原子又は炭素数１〜４のアルキルサルフェート基を示す。〕
【００３６】
【化５】
2008031468.tif 000006
【００３７】
〔式中、Ｒ17及びＲ18は同一又は異なって、水素原子又はメチル基を示し、Ｒ19及びＲ20は同一又は異なって、水素原子又は炭素数１〜４のアルキル基を示し、Ｘは前記と同じ意味を示す。〕、
（ｂ）カチオン化セルロース誘導体、
（ｃ）カチオン化グアーガム誘導体、及び
（ｄ）ジアリル４級アンモニウム塩重合物又はジアリル４級アンモニウム塩／アクリルアミド共重合物。
【００３８】
成分（Ｄ）の（ａ）カチオン性基含有共重合体について、以下に詳述する。
（イ）ノニオン性基含有ビニル単量体
一般式（Ｉ）で表される単量体の具体例としては、（メタ）アクリルアミド、Ｎ−メチル（メタ）アクリルアミド、Ｎ， Ｎ−ジメチル（メタ）アクリルアミド、Ｎ，Ｎ−ジエチル（メタ）アクリルアミド、Ｎ−ｎ−プロピル（メタ）アクリルアミド、Ｎ−イソプロピル（メタ）アクリルアミド、Ｎ−ｔ−ブチル（メタ）アクリルアミド、Ｎ−イソブチル（メタ）アクリルアミド、Ｎ−ヒドロキシプロピル（メタ）アクリルアミド等が挙げられる。一般式（ＩＩ）で表される単量体としては、Ｎ−（メタ）アクロイルモルホリン等が挙げられる。
【００３９】
（ロ）カチオン性基含有ビニル単量体
上記一般式（ＩＩＩ）で表される単量体の具体例としては、ジメチルアミノエチル（メタ）アクリレート、ジエチルアミノエチル（メタ）アクリレート、ジプロピルアミノエチル（メタ）アクリレート、ジイソプロピルアミノエチル（メタ）アクリレート、ジブチルアミノエチル（メタ）アクリレート、ジイソブチルアミノエチル（メタ）アクリレート、ジｔ−ブチルアミノエチル（メタ）アクリレート、ジメチルアミノプロピル（メタ）アクリルアミド、ジエチルアミノプロピル（メタ）アクリルアミド、ジプロピルアミノプロピル（メタ）アクリルアミド、ジイソプロピルアミノプロピル（メタ）アクリルアミド、ジブチルアミノプロピル（メタ）アクリルアミド、ジイソブチルアミノプロピル（メタ）アクリルアミド、ジｔ−ブチルアミノプロピル（メタ）アクリルアミド等のジアルキルアミノ基を有する（メタ）アクリル酸エステル又は（メタ）アクリルアミドを酸で中和した酸中和物あるいは４級化剤で４級化した４級アンモニウム塩が挙げられる。
【００４０】
上記一般式（ＩＶ）で表される単量体の具体例としては、ジメチルジアリルアンモニウムクロライド、ジエチルジアリルアンモニウムクロライド等のジアリル型４級アンモニウム塩が挙げられる。
【００４１】
上記の酸中和物を得るための好ましい酸としては、塩酸、硫酸、硝酸、リン酸等の無機酸；及び酢酸、ギ酸、マレイン酸、フマル酸、クエン酸、酒石酸、アジピン酸、スルファミン酸、トルエンスルホン酸、乳酸、ピロリドン−２−カルボン酸、コハク酸、プロピオン酸、グリコール酸等の総炭素数１〜２２の有機酸等が挙げられる。上記４級アンモニウム塩を得るための好ましい４級化剤としては、塩化メチル、塩化エチル、臭化メチル、ヨウ化メチル等の炭素数１〜８のハロゲン化アルキル、硫酸ジメチル、硫酸ジエチル、硫酸ジ−ｎ−プロピル等の一般的なアルキル化剤が挙げられる。
【００４２】
上記一般式（ＩＩＩ）又は（ＩＶ）で表される単量体の中でさらに好ましいものとしては、ジメチルアミノエチル（メタ）アクリレート、ジエチルアミノエチル（メタ）アクリレート、ジメチルアミノプロピル（メタ）アクリルアミド、又はジエチルアミノプロピル（メタ）アクリルアミドを前記の４級化剤で４級化した４級アンモニウム塩、あるいはジメチルジアリルアンモニウムクロライドが挙げられる。ここで酸中和物単量体は、系のｐＨ等により中和した酸の解離が起こり、ポリマー構造が変化するため、粘度の安定性が低いという欠点を有する。この点からも４級アンモニウム塩型単量体がより好ましい。
【００４３】
（ハ）架橋性ビニル単量体
架橋性ビニル単量体としては、エチレングリコールジ（メタ）アクリレート、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、１，２−ブチレングリコールジ（メタ）アクリレート、１，３−ブチレングリコールジ（メタ）アクリレート、ネオペンチルグリコールジ（メタ）アクリレート、グリセリンジ（メタ）アクリレート、グリセリントリ（メタ）アクリレート、トリメチロールプロパントリ（メタ）アクリレート、ペンタエリスリトールテトラ（メタ）アクリレート等の多価アルコールの（メタ）アクリル酸エステル類；Ｎ−メチルアリルアクリルアミド、Ｎ−ビニルアクリルアミド、Ｎ，Ｎ'−メチレンビス（メタ）アクリルアミド、ビスアクリルアミド酢酸等のアクリルアミド類；ジビニルベンゼン、ジビニルエーテル、ジビニルエチレン尿素等のジビニル化合物；ジアリルフタレート、ジアリルマレート、ジアリルアミン、トリアリルアミン、トリアリルアンモニウム塩、ペンタエリスリトールのアリルエーテル化体、分子中に少なくとも２個のアリルエーテル単位を有するスクローゼのアリルエーテル化体等のポリアリル化合物；ビニル（メタ）アクリレート、アリル（メタ）アクリレート、２−ヒドロキシ−３−アクリロイルオキシプロピル（メタ）アクリレート、２−ヒドロキシ−３−アクリロイルオキシプロピル（メタ）アクリレート等の不飽和アルコールの（メタ）アクリル酸エステル等が挙げられる。
これらの架橋性単量体の中では、エチレングリコールジ（メタ）アクリレート、ポリエチレングリコールジ（メタ）アクリレート、ジビニルベンゼン、ペンタエリスリトールトリアリルエーテル、又はペンタエリスリトールテトラアリルエーテルが好ましい。
【００４４】
（ニ）その他のビニル単量体
成分（Ａ）のカチオン性基含有共重合体は、必須構成単位である前記の３種類のビニル単量体のほかに、これらと共重合が可能なその他のビニル単量体を構成成分とすることができる。その他のビニル単量体としては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−ペンチル（メタ）アクリレート、ネオペンチル（メタ）アクリレート、シクロペンチル（メタ）アクリレート、ｎ−ヘキシル（メタ）アクリレート、シクロヘキシル（メタ）アクリレート、ｎ−オクチル（メタ）アクリレート、イソオクチル（メタ）アクリレート、２−エチルヘキシル（メタ）アクリレート、ｎ−デシル（メタ）アクリレート、イソデシル（メタ）アクリレート、ラウリル（メタ）アクリレート、トリデシル（メタ）アクリレート、ステアリル（メタ）アクリレート、イソステアリル（メタ）アクリレート、ベヘニル（メタ）アクリレート、フェニル（メタ）アクリレート、トルイル（メタ）アクリレート、キシリル（メタ）アクリレート、ベンジル（メタ）アクリレート、２−エトキシエチル（メタ）アクリレート、２−ブトキシ（メタ）アクリレート、２−フェノキシ（メタ）アクリレート、３−メトキシプロピル（メタ）アクリレート、３−エトキシプロピル（メタ）アクリレート等の（メタ）アクリル酸誘導体等が挙げられる。
該その他のビニル単量体はカチオン性基含有共重合体を構成する全単量体中、３０重量％以下で用いるのが好ましく、さらに１５重量％以下で用いるのが好ましい。
【００４５】
（ホ）カチオン性基含有共重合体
カチオン性基含有共重合体を形成する単量体であるノニオン性基含有ビニル単量体（ａ1）とカチオン性基含有ビニル単量体（ａ2）との好ましい配合比率は、（ａ1）／（ａ2）のモル比で、２／９８〜９８／２であり、さらに好ましくは４０／６０〜９７／３である。上記モル比が大きい場合はチキソトロピー性の発現が、モル比が小さい場合は低シェアレート時の粘度保持が夫々容易となるが、両特性発現には上記範囲内である方が好ましい。
架橋性ビニル単量体（ａ3）の割合は、単量体全量に対して０．００２〜５重量％が好ましく、０．００２重量％以上０．１重量％未満がさらに好ましい。単量体（ａ3）の割合が０．００２重量％以上であれば、カチオン性基含有共重合体から形成されるハイドロゲルの粘度が十分であり、また５重量％以下であれば、ハイドロゲルの感触は柔らかく、すべりの良いものとなる。
本発明の成分（Ｄ）の（ａ）カチオン性基含有共重合体の好ましい一態様として、下記式で表されるＮ，Ｎ−ジメチルアミノエチルメタクリル酸ジエチル硫酸塩−Ｎ，Ｎ−ジメチルアクリルアミド−ジメタクリル酸ポリエチレングリコール共重合体が挙げられる。
【００４６】
【化６】
2008031468.tif 000007
【００４７】
（式中、モル比でｘ／ｙ＝１／９〜５／５、（ｘ＋ｙ＋ｚ）／ｚ＝１／０．１〜１／０．００２である。）
例えば、市販品としては、ソフケアＫＧ−３０１Ｗ〔花王（株）製；ｘ：ｙ：ｚ＝３０：７０：０．００３８（モル比）〕やソフケアKG−１０１Ｅ〔花王（株）製；ｘ：ｙ：ｚ＝１０：９０：０．００３５（モル比）〕やソフケアＫＧ−３０１Ｐ〔花王（株）製〕；ｘ：ｙ：ｚ＝３０：７０：０．００３８（モル比）〕が挙げられる。
【００４８】
成分（Ｄ）の（ｂ）カチオン化セルロース誘導体について、以下に詳述する。
（ｂ）カチオン化セルロース誘導体としては、次の一般式（ＶＩ）で表わされるものが好ましい。
【００４９】
【化７】
2008031468.tif 000008
【００５０】
（VI）式中、Ａはアンヒドログルコース単位の残基を示し、ａは５０〜２００００の整数であり、各Ｒ21は、それぞれ次の一般式（ＶＩＩ）で表わされる置換基を示す。
【００５１】
【化８】
2008031468.tif 000009
【００５２】
式（ＶＩＩ）中、Ｒ′及びＲ″は炭素数２又は３のアルキレン基、ｂは０〜１０の整数、ｃは０〜３の整数、ｄは０〜１０の整数、Ｒ'''は炭素数１〜３のアルキレン又はヒドロキシアルキレン基、Ｒ22、Ｒ23及びＲ24は同じか又は異なっており、炭素数１０までのアルキル基、アリール基、又はアラルキル基を示すか、又は式中の窒素原子を含んで塩素環を形成してもよく、そしてＸ1は陰イオン（塩素、臭素、沃素、硫酸、スルホン酸、メチル硫酸、リン酸、硝酸等）を表わす。
カチオン化セルロースのカチオン置換度は、０．０１〜１、すなわちアンヒドログルコース単位あたりのｃの平均値は、０．０１〜１、好ましくは０．０２〜０．５である。又、ｂ＋ｄの合計は平均１〜３である。置換度は、０．０１以下では充分でなく、又１以上でもかまわないが、反応収率の点より１以下が好ましい。例えばＲ22、Ｒ23及びＲ24としては全てＣＨ3基、又は２つのＣＨ3基などの短鎖アルキル基であり、残り１つが炭素数１０〜２０の長鎖アルキル基であるものが好ましい。ここで用いるカチオン化セルロースの分子量は約１０００００〜８００００００の間である。
例えば、市販品としては、ポイズＣ−６０Ｈ〔花王（株）製〕やポイズＣ−８０Ｈ〔花王（株）製〕やポリマーＪＲ−４００（ダウケミカル社製）等が挙げられる。
【００５３】
成分（Ｄ）の（ｃ）カチオン化グアーガム誘導体につい、以下に詳述する。
（ｃ）カチオン化グアーガム誘導体としては、次の一般式（VIII）で表わされるものが好ましい。
【００５４】
【化９】
2008031468.tif 000010
【００５５】
式（VIII）中、Ｄはグアーガム残基、Ｒ25はアルキレン基又はヒドロキシアルキレン基、Ｒ26、Ｒ27及びＲ28は同じか又は異なっており、炭素数１０以下のアルキル基、アリール基、又はアラルキル基を示すか、又は式中の窒素原子を含んで複素環を形成してもよく、Ｘ3は陰イオン（塩素、臭素、沃素、硫酸、スルホン酸、メチル硫酸、リン酸、硫酸等）、そしてｆは正の整数を示す。
カチオン化グアーガム誘導体のカチオン置換度は、０．０１〜１、さらに０．０２〜０．５個のカチオン基が糖ユニットに導入されたものが好ましい。この型のカチオン性ポリマーは、特公昭５８−３５６４０号公報、特公昭６０−４６１５８号公報、及び特開昭５８−５３９９６号公報中に記載されており、例えば市販品としては、ローディア社（Rhodia Inc.）から商標名ジャガー（Jaguar）で市販されており、ジャガーＣ−１３Ｃ等が挙げられる。また、大日本住友製薬（株）製のラボールガム  ＣＧ−Ｍが挙げられる。
【００５６】
成分（Ｄ）の（ｄ）ジアリル４級アンモニウム塩重合物又はジアリル４級アンモニウム塩／アクリルアミド共重合物について、以下に詳述する。
（ｄ）ジアリル４級アンモニウム塩重合物又はジアリル４級アンモニウム塩／アクリルアミド共重合物としては、次の一般式（ＩＸ）又は（Ｘ）で表わされるものが好ましい。
【００５７】
【化１０】
2008031468.tif 000011
【００５８】
【化１１】
2008031468.tif 000012
【００５９】
式（ＩＸ）及び（Ｘ）中、Ｒ33及びＲ34は同じか又は異なっており、水素、アルキル基（炭素数１〜１８）、フェニル基、アリール基、ヒドロキシアルキル基、アミドアルキル基、シアノアルキル基、アルコキシアルキル基、又はカルボアルコキシアルキル基、Ｒ35、Ｒ36、Ｒ37及びＲ38は同じか又は異なっており、水素原子、低級アルキル基（炭素数１〜３）、又はフェニル基、Ｘ4は陰イオン（塩素、臭素、沃素、硫酸、スルホン酸、メチル硫酸、硫酸など）、ｇは１〜５０の整数、ｈは０〜５０の整数、そしてｉは１５０〜８０００の整数を示す。
ジアリル４級アンモニウム塩／アクリルアミド共重合物の分子量としては約３万〜２００万、好ましくは１０万〜１００万の範囲が良い。
例えば、市販品としては、ナルコ社から商標名マーコートで市販されており、マーコート１００、マーコート５５０やマーコート３３３１等が挙げられる。
【００６０】
成分（Ｄ）は１種以上を用いることができる。本発明洗浄剤組成物中の成分（Ｄ）の含有量は、泡質向上効果の観点から、全組成中に好ましくは０．０１〜５重量％、より好ましくは０．０５〜２．５重量％、さらに好ましくは０．１〜２．５重量％である。
【００６１】
本発明の洗浄剤組成物は、さらにノニオン性界面活性剤（Ｅ）[以下、成分（Ｅ）という]を配合することにより、初期の泡立ちを更に増加させることができる。なお、本発明では、成分（Ｅ）のノニオン性界面活性剤からは、一般式（２）及び一般式（３）の構造を持つ化合物は除かれる。
成分（Ｅ）としては、アルキルグリコシド、アルキルポリグリコシド、蔗糖脂肪酸エステル、ポリグリセリン脂肪酸エステル、脂肪酸アルカノールアミド、アルキルアミンオキサイド、脂肪酸多価アルコールエステル等が挙げられる。このうち、脂肪酸アルカノールアミド、アルキルグリコシド及びアルキルポリグリコシドが好ましく、アルキルグリコシド及びアルキルポリグリコシドがより好ましい。さらに成分（Ｅ）がアルキルグリコシド及びアルキルポリグリコシドの場合、すすぎ時に適度なきしみ感を与えるため、成分（Ａ）を含有する処方特有のヌルツキを抑制し、さっぱり感を付与する事が出来る。
アルキルグリコシド又はアルキルポリグリコシドは下記一般式（５）で示されるものが好ましい。
【００６２】
Ｒ9−Ｏ−（Ｒ10Ｏ）s−（Ｇ）t        （５）
【００６３】
（式中、Ｒ9は炭素数８〜１８の直鎖もしくは分岐鎖のアルキル基、アルケニル基又はアルキルフェニル基を示し、Ｒ10は炭素数２〜４のアルキレン基を示し、Ｇは炭素数５〜６の還元糖を示し、平均付加モル数ｓは０〜１０の数を示し、平均糖重合度ｔは１〜１０の数を示す。）
なかでも、Ｒ9は炭素数１０〜１４の直鎖もしくは分岐鎖のアルキル基又はアルケニル基が好ましく、Ｇの還元糖としては、グルコース、ガラクトース、フラクトースが好ましく、さらにグルコースが好ましい。平均糖重合度ｔは１〜４が好ましい。かかる平均糖重合度ｔはＲ9のアルキル基又はアルケニル基に由来する物性を考慮して選択するのが望ましく、例えば、Ｒ9が炭素数８〜１１のアルキル基の場合、ｔは１〜１．４を、Ｒ9が炭素数１２〜１４のアルキル基の場合、ｔは１．５〜４．０を選択するのが好ましい。アルキルグリコシドとしては具体的には、デシルグルコシド、ラウリルグルコシドなどが挙げられる。
成分（E）は１種以上を用いることができる。本発明洗浄剤組成物中の成分（E）の含有量は、起泡性強化の観点から、全組成中に好ましくは０．０１〜２０重量％、より好ましくは０．０５〜２０重量％、さらに好ましくは０．１〜１５重量％である。
【００６４】
本発明の洗浄剤組成物は、そのままで用いるか水で希釈して用いることができる。例えば、洗顔剤、ボディシャンプー等の皮膚洗浄剤又はシャンプー等の毛髪洗浄剤として用いることができ、これらの洗浄剤組成物には、その目的に応じ任意成分を配合することができる。ここで、任意成分としては、通常これらの洗浄剤に配合される、成分（Ａ）以外のアニオン性界面活性剤、両性界面活性剤、カチオン性界面活性剤及び成分（Ｂ）以外のコンディショニング成分などが挙げられる。
本発明の洗浄剤組成物は、洗顔剤又は皮膚洗浄剤として用いることが好ましい。なお、本発明の洗浄剤組成物は、洗顔剤又は皮膚洗浄剤として用いる場合、シリコーン油は配合しないことが好ましい。
【００６５】
成分（Ａ）以外のアニオン性界面活性剤としては、脂肪酸塩、リン酸エステル塩、スルホコハク酸系界面活性剤、ポリオキシアルキレンアルキルアミドエーテル硫酸塩、モノグリセライド硫酸塩、オレフィンスルホン酸塩、アルカンスルホン酸塩、アシル化イセチオン酸塩、アシル化アミノ酸塩、ポリオキシアルキレンアルキルエーテルリン酸塩、ポリオキシアルキレンアルキルエーテル酢酸塩等が挙げられる。
【００６６】
両性界面活性剤としては、アミドベタイン系界面活性剤、アミドアミノ酸系界面活性剤、カルボベタイン系界面活性剤、スルホベタイン系界面活性剤、アミドスルホベタイン系界面活性剤、イミダゾリニウムベタイン系界面活性剤、ホスホベタイン系界面活性剤等が挙げられる。このうち、アルキルカルボキシメチルヒドロキシエチルイミダゾリウムベタイン、脂肪酸アミドプロピルベタイン及びアルキルヒドロキシスルホベタインがさらに好ましい。脂肪酸アミドプロピルベタイン及びアルキルヒドロキシスルホベタインは、炭素数８〜１８、さらに炭素数１０〜１６のアルキル基を有するものが好ましく、さらにラウリン酸アミドプロピルベタイン、パーム核油脂肪酸アミドプロピルベタイン、ヤシ油脂肪酸アミドプロピルベタイン、ラウリルヒドロキシスルホベタイン等が好ましい。これらの両性界面活性剤の量は、起泡性の観点から、本発明洗浄剤組成物中に０．１〜１０重量％、さらに０．５〜１０重量％、よりさらに０．５〜８重量％含有するのが好ましい。
【００６７】
カチオン性界面活性剤としては、下記一般式（４）
【００６８】
【化１２】
2008031468.tif 000013
【００６９】
［式中、Ｒ5、Ｒ6、Ｒ7及びＲ8のうち、少なくとも１個は総炭素数８〜２８のアルコキシ基、アルケニルオキシ基、アルカノイルアミノ基又はアルケノイルアミノ基が置換していてもよいアルキル基又はアルケニル基を示し、残余はベンジル基、炭素数１〜５のアルキル基、ヒドロキシアルキル基又は合計付加モル数１０以下のポリオキシエチレン基を示し、Ｚ-はハロゲンイオン又は有機アニオンを示す。］で表わされる第４級アンモニウム塩が挙げられる。
【００７０】
コンディショニング成分としては、ラウリルアルコール、セチルアルコール、ステアリルアルコール等の高級アルコール、シリコーン及びシリコーン誘導体、ラノリン、スクワレン、炭化水素、蛋白誘導体、ポリエチレングリコールの脂肪酸エステル等の油剤等が挙げられる。これらのコンディショニング成分のうち、ラウリルアルコールがさらに好ましい。これらのコンディショニング成分は、泡の感触向上と保存安定性の点より、本発明洗浄剤組成物中に０．０５〜５重量％、さらに０．１〜５重量％、よりさらに０．１〜２重量％含有するのが好ましい。
【００７１】
洗浄剤組成物中に通常使用されるその他の成分、例えば、メチルセルロース、ヒドロキシエチルセルロース、カルボキシビニルポリマー、キサンタンガム等の多糖類等の水溶性高分子；ポリオキシアルキレンソルビタンエステル、ポリオキシエチレングリコールジステアレート、エタノール等の粘度調整剤；エチレンジアミン四酢酸（ＥＤＴＡ）、ホスホン酸塩類等のキレート剤；メチルパラベン、ブチルパラベン等の防腐剤；ビタミンやその前駆体等の有効成分；レシチン、ゼラチン等の動植物抽出物又はその誘導体；ナイロンやポリエチレン等のポリマー微粉体；グリチルリチン酸ジカリウム等の消炎剤；トリクロサン、トリクロロカルバン、オクトピロックス、ジンクピリチオン等の殺菌剤や抗フケ剤；ジブチルヒドロキシトルエン等の酸化防止剤；パール化剤、紫外線吸収剤、ｐＨ調整剤、色素、香料、水を本発明の効果を損なわない範囲で必要に応じて配合することができる。
【００７２】
本発明の洗浄剤組成物は、例えば成分（Ａ）、（Ｂ）及び（Ｃ）を、また、必要に応じて成分（Ｄ）、（Ｅ）及びその他の成分を１５〜８０℃の温度で撹拌混合して製造できる。また、その剤型は特に制限されないが、液体状、ペースト状、クリーム状とするのが好ましい。製造時に溶媒を用いるのが好ましく、溶媒としては水が好ましい。
【実施例】
【００７３】
以下、実施例を挙げてさらに詳細に説明する。
【００７４】
実施例１〜１９及び比較例１〜１６
＜製法＞
成分（Ａ）の水溶液に対し、成分（Ｂ）と（Ｃ）を配合し、必要に応じて成分（Ｄ）と（Ｅ）とその他の成分を配合し、７０℃にて２時間加熱撹拌することで、表１及び表２記載の身体洗浄料を調製した。
【００７５】
＜評価方法＞
（泡粘度）
製造した身体洗浄料１ｍＬに対し、４°ＤＨ硬水１０ｍＬで希釈して、２０秒間手洗いで泡立てた。この泡を５０ｍＬビーカーに入れ、Ｂ形粘度計（（株）東京計器）を用いて、３０秒後の２５℃における泡粘度（ｍＰａ・ｓ）を測定した。この時の回転数は１２ｒｐｍ、ローターはＮｏ．３を使用した。
【００７６】
（泡質官能評価）
製造した身体洗浄料１ｍＬに対し、４°ＤＨ硬水１０ｍＬで希釈して、２０秒間手洗いで泡立てて官能評価を行った。官能評価は専門パネラー１０人で行い、石鹸（ラウリン酸／ミリスチン酸／パルミチン酸＝６／４．５／４．５からなる１５％水溶液）を基準とした泡のクリーミーさについて１０人中９人以上が石鹸様のクリーミーな泡質であると判断した場合には「Ａ」、１０人中７〜８人が石鹸様のクリーミーな泡質であると判断した場合には「Ｂ」、１０人中５〜６人が石鹸様のクリーミーな泡質であると判断した場合には「Ｃ」、１０人中３〜４人が石鹸様のクリーミーな泡質であると判断した場合には「Ｄ」、１０人中２人以下が石鹸様のクリーミーな泡質であると判断した場合には「Ｅ」とした。
【００７７】
（起泡量評価）
製造した身体洗浄料１ｍＬに対し、４°ＤＨ硬水１０ｍＬで希釈して、２０秒間手洗いで泡立てて起泡量評価を行った。起泡量評価は専門パネラー１０人で行い、石鹸（ラウリン酸／ミリスチン酸／パルミチン酸＝６／４．５／４．５からなる１５％水溶液）を基準とした起泡量について、１０人中９人以上が石鹸以上の起泡量と判断した場合には「Ａ」、１０人中７〜８人が石鹸以上の起泡量と判断した場合には「Ｂ」、１０人中５〜６人が石鹸以上の起泡量と判断した場合には「Ｃ」、１０人中３〜４人が石鹸以上の起泡量と判断した場合には「Ｄ」、１０人中２人以下が石鹸以上の起泡量と判断した場合には「Ｅ」とした。
【００７８】
〔保存安定性（１）〕
製造した身体洗浄料４０ｍＬを５０ｍＬのガラス容器（内径３．２ｃｍ）に入れて室温（２５℃）で６ヶ月間保存し、分離の有無を確認した。
〔保存安定性（２）〕
製造した身体洗浄料４０ｍＬを５０ｍＬのガラス容器（内径３．２ｃｍ）に入れて−２８〜４０℃（１往復／８時間）の１４日間サイクル試験を行い、分離の有無を確認した。
【００７９】
【表１】
2008031468.tif 000014
【００８０】
表１の結果より、成分（Ｂ）を含む本発明の身体洗浄料は、いずれの成分（Ｃ）を用いても高い泡粘度を示し（実施例１〜３）、さらに成分（Ｅ）の他の非イオン界面活性剤（実施例４、６）や両性界面活性剤（実施例５）を添加した場合でも、クリーミーな泡になることが分かる。しかし、成分（Ｂ）の炭素数が極端に短い比較例２や、極端に長い比較例３、及び成分（Ｂ）を含まない比較例１及び４〜１０では、泡粘度は５００ｍＰａ・ｓほどであり、泡質は改善されなかった。
【００８１】
【表２】
2008031468.tif 000015
【００８２】
表２の結果より、成分（Ａ）、（Ｂ）、（Ｃ）を含む本発明の身体洗浄料は、成分（Ａ）、（Ｂ）及び（Ｃ）が特定比率以外の処方では、十分な効果は得られない。比較例１１〜１３では、成分（Ｂ）過剰のため、起泡性が著しく低下し、泡質のクリーミーさも不十分である。また、比較例１４〜１６では、成分（Ｂ）不足のためクリーミーな泡は得られないことがわかる。
【００８３】
実施例２０
次の組成のボディシャンプーを調製した。
（成分）                                                      （重量％）
ポリオキシエチレン（２）ラウリルエーテル硫酸ナトリウム〔エマール
２２７；花王（株）製〕                                          １５．０
ミリスチルアルコール〔カルコール４０９８；花王（株）製〕          １．６
２−エチルヘキシルグリセリルエーテル                              １．６
ラウリルヒドロキシスルホベタイン〔アンヒトール２０ＨＤ；花王（株
）製〕                                                            １．０
カチオン化セルロース〔ポイズＣ−６０Ｈ；花王（株）製〕            ０．１
食塩                                                              ０．５
香料、メチルパラベン                                            適量
精製水                                                          バランス  
計                                                        １００．０
実施例２０のボディシャンプーは、起泡量が多く、心地良いクリーミーな泡で、全身を洗浄できた。
【００８４】
実施例２１
次の組成の洗顔料を調製した。
（成分）                                                      （重量％）
ポリオキシエチレン（２）ラウリルエーテル硫酸ナトリウム
〔エマール２２７；花王（株）製〕                                ５２．６
ミリスチルアルコール〔カルコール４０９８；花王（株）製〕          ５．１
２−エチルヘキシルグリセリルエーテル                              ４．６
ラウリルヒドロキシスルホベタイン〔アンヒトール２０ＨＤ；花王（株
）製〕                                                            ３．５
グリセリン                                                        １．０
ソルビトール                                                      ２．０
Ｎ，Ｎ−ジメチルアミノエチルメタクリル酸ジエチル硫酸塩・Ｎ，Ｎ−
ジメチルアクリルアミド・ジメタクリル酸ポリエチレングリコール共重
合体〔ソフケアＫＧ−３０１Ｐ；花王（株）製〕                      ０．６
香料、メチルパラベン                                            適量
精製水                                                          バランス  
計                                                        １００．０
実施例２１の洗顔料は、泡質がリッチであり、きめ細かい泡を大量に発生させ、クリーミーな泡質でマイルドに洗顔できた。
【００８５】
実施例２２
次の組成のハンドソープを調製した。
（成分）                                                      （重量％）
ポリオキシエチレン（２）ラウリルエーテル硫酸ナトリウム〔エマール
２２７；花王（株）製〕                                          １８．５
ラウリルアルコール〔カルコール２０９８；花王（株）製〕            ０．５
ミリスチルアルコール〔カルコール４０９８；花王（株）製〕          １．８
イソデシルグリセリルエーテル                                      １．８
ラウリルヒドロキシスルホベタイン
〔アンヒトール２０ＨＤ；花王（株）製〕                            １．１
カチオン化セルロース〔ポイズＣ−６０Ｈ；花王（株）製〕            ０．１
Ｎ，Ｎ−ジメチルアミノエチルメタクリル酸ジエチル硫酸塩・Ｎ，Ｎ−
ジメチルアクリルアミド・ジメタクリル酸ポリエチレングリコール共重
合体〔ソフケアＫＧ−３０１Ｐ；花王（株）製〕                      ０．２
香料、メチルパラベン                                              適量
精製水                                                          バランス  
計                                                        １００．０
実施例２２のハンドソープは、起泡性が良く、すぐにきめ細かい泡になった。
【００８６】
実施例２３
次の組成のボディシャンプーを調製した。
（成分）                                                      （重量％）
ポリオキシエチレン（２）ラウリルエーテル硫酸ナトリウム
〔エマール２２７；花王（株）製〕                                １４．２
ミリスチルアルコール〔カルコール４０９８；花王（株）製〕          １．８
２−エチルヘキシルグリセリルエーテル                              １．５
ラウリルヒドロキシスルホベタイン
〔アンヒトール２０ＨＤ；花王（株）製〕                            １．０
デシルグルコシド〔マイドール  １０；花王（株）製〕                ２．０
ジメチルジアリルアンモニウムクロリド／アクリルアミドコポリマー
（マーコート５５０；ナルコ社製）                                  ０．３６
ポリエチレングリコール（Ｍｗ＝２５０００００）
〔アルコックス  Ｅ−１００；明成科学工業（株）製〕                ０．０１５
プロピレングリコール                                              ７．０
リンゴ酸                                                          ０．０５
香料、メチルパラベン                                              適量
精製水                                                          バランス  
計                                                        １００．０
実施例２３のボディーシャンプーは初期の起泡性に優れ、柔らかでクリーミーな泡を与えた。